(57)【要約】【課題】複数のグラフィックスコントローラの映像出力の表示切り替えを行った場合でもディスプレイ上にノイズ等が表示されることなくスムーズに切り替えが可能な情報処理装置および表示コントローラ切り換え方法を提供する。【解決手段】ＧＰＵ２００からＧＰＵ２０１にＧＰＵを切り替える場合、映像信号の切り替え要求を受信すると、ＧＰＵ２０１を起動させた後に、ＬＣＤ１７への電源の供給を停止させ、ＬＣＤ１７に出力する映像信号を切り替える要求を送信し、映像信号の出力を切り替えさせた後に、ＬＣＤ１７への電源の供給を再開させ、ＧＰＵ２００を停止させる。【選択図】      図２
2009288430.tif 000002
【特許請求の範囲】
【請求項１】
表示部と、
第１の映像信号を生成する第１の表示コントローラと、
第２の映像信号を生成する第２の表示コントローラと、
前記第１の映像信号および前記第２の映像信号の一方を選択し、選択した一方の映像信号を前記表示部に出力する選択部と、
前記表示部への映像信号の供給に使用すべき表示コントローラを前記第１の表示コントローラから前記第２の表示コントローラに切り換える場合、前記第２の表示コントローラの状態を動作停止状態から動作状態に遷移させると共に前記表示部を画面イメージを表示しない表示オフ状態に設定し、前記選択部を制御することによって前記表示部に出力すべき映像信号を前記第１の映像信号から前記第２の映像信号に切り換えた後に、前記表示部を画面イメージを表示する表示オン状態に復帰すると共に前記第１の表示コントローラの状態を動作状態から動作停止状態に遷移させる制御部とを具備することを特徴とする情報処理装置。
【請求項２】
請求項１記載の情報処理装置において、
前記第１の表示コントローラと前記第２の表示コントローラとは、互いに描画処理性能および消費電力が異なることを特徴とする情報処理装置。
【請求項３】
請求項２記載の情報処理装置において、
前記第１の表示コントローラと前記第２の表示コントローラとは、互いにクロック周波数が異なることを特徴とする情報処理装置。
【請求項４】
請求項３記載の情報処理装置において、
前記第１の表示コントローラおよび前記第２の表示コントローラのいずれか一方は、チップセット内に内蔵されていることを特徴とする情報処理装置。
【請求項５】
請求項１記載の情報処理装置において、
前記表示オフ状態は、前記表示部への電源供給をオフする状態を含むことを特徴とする情報処理装置。
【請求項６】
請求項１記載の情報処理装置において、
前記制御部は、前記第２の表示コントローラが前記第２の映像信号を出力可能な状態になったことを確認した後に前記表示部を前記表示オフ状態に設定することを特徴とする情報処理装置。
【発明の詳細な説明】
【技術分野】
【０００１】
本発明は、複数のＧＰＵの制御技術に係り、特にＧＰＵからの映像出力の表示を容易に切り替えることが可能な情報処理装置に関する。
【背景技術】
【０００２】
一般に、コンピュータに求められる処理能力が高くなる場合、複数のプロセッサおよびこれらのプロセッサを制御する制御部を備えたコンピュータが用いられる。例えば処理能力の異なる２つのプロセッサを備えたコンピュータでは、高いシステム性能が求められる場合は処理能力が高いプロセッサを用いる。この場合、低い処理能力のプロセッサを使用する場合に比べて消費電力は多くなる。一方、バッテリ駆動で動作しているノート型のパーソナルコンピュータ等においては、バッテリの駆動時間をシステム性能よりも優先したい場合がある。この場合には、高い処理能力のプロセッサから低い処理能力のプロセッサに切り替えを行うことによって消費電力を抑え、バッテリの駆動時間を延ばすことができる。また、逆に、バッテリ駆動で動作しているノート型のパーソナルコンピュータが、ＡＣ電源からの電源供給を受けることが可能となった場合には、低い処理能力のプロセッサから高い処理能力のプロセッサに切り替えを行うことによって、処理能力を向上させることができる。これらの複数のプロセッサを制御する技術としては、例えば、特許文献１では、２つの処理能力の異なるＣＰＵを備えたシステムにおいて、システムの稼働率を常に監視しており、処理能力の高いＣＰＵが動作している状態で、システムの稼働率が低いと判別された場合には、消費電力を抑えるために、処理能力の高いＣＰＵから処理能力の低いＣＰＵに切り替えるようにする技術が開示されている。
【特許文献１】特開２００３−３１６７５１号公報
【発明の開示】
【発明が解決しようとする課題】
【０００３】
一方、処理能力の異なる複数のＧＰＵを制御する場合、あるＧＰＵから別のＧＰＵに切り替えた場合に、動作クロック周波数の違いからディスプレイの表示画像に乱れやノイズ等が発生することがある。
【０００４】
そこで、本発明は、複数のＧＰＵ間で切り替えを行った場合でもディスプレイ上に表示される画像にノイズ等を発生させることなくスムーズに切り替えが可能な情報処理装置を提供することを目的とする。
【課題を解決するための手段】
【０００５】
上述した課題を解決するために、本発明の一態様によれば、表示部と、第１の映像信号を生成する第１の表示コントローラと、第２の映像信号を生成する第２の表示コントローラと、前記第１の映像信号および前記第２の映像信号の一方を選択し、選択した一方の映像信号を前記表示部に出力する選択部と、前記表示部への映像信号の供給に使用すべき表示コントローラを前記第１の表示コントローラから前記第２の表示コントローラに切り換える場合、前記第２の表示コントローラの状態を動作停止状態から動作状態に遷移させると共に前記表示部を画面イメージを表示しない表示オフ状態に設定し、前記選択部を制御することによって前記表示部に出力すべき映像信号を前記第１の映像信号から前記第２の映像信号に切り換えた後に、前記表示部を画面イメージを表示する表示オン状態に復帰すると共に前記第１の表示コントローラの状態を動作状態から動作停止状態に遷移させる制御部とを具備することを特徴とする情報処理装置が提供される。
【発明を実施するための最良の形態】
【０００６】
以下、本発明の実施形態について図面を参照しながら説明する。
【０００７】
まず、図１および図２を参照して、本発明の一実施形態に係るコンピュータの構成について説明する。この情報処理装置は、例えば、ノートブック型パーソナルコンピュータ１０として実現されている。
【０００８】
図１は、ノートブック型パーソナルコンピュータ１０のディスプレイユニットを開いた状態における斜視図である。本コンピュータ１０は、コンピュータ本体１１と、ディスプレイユニット１２とから構成されている。ディスプレイユニット１２には、ＬＣＤ（Liquid Crystal Display：表示部）１７から構成される表示装置が組み込まれており、そのＬＣＤ１７の表示画面は、ディスプレイユニット１２のほぼ中央に位置されている。
【０００９】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするためのパワーボタン１４、入力操作パネル１５およびタッチパッド１６などが配置されている。
【００１０】
入力操作パネル１５は、押下されたボタンに対応するイベントをシステムに入力する入力装置であり、複数の機能をそれぞれに起動するための複数のボタンを備えている。これらボタン群には、ＧＰＵ（Graphics Processing Unit：以下、グラフィックスコントローラとも称する）の切り替えのトリガーとなる切り替えスイッチ１５Ａ、ＤＶＤ（Digital Versatile Disc）起動ボタン１５Ｂ等が含まれている。
【００１１】
次に、図２を参照して、本コンピュータ１０のシステム構成について説明する。
【００１２】
コンピュータ１０は、図２に示されているように、ＣＰＵ１１１、第１のＧＰＵ（第１の表示コントローラ）２００、第２のＧＰＵ（第２の表示コントローラ）２０１を搭載したノースブリッジ１１２、主メモリ１１３、スイッチ部（選択部）２０２、ＬＣＤ（表示部）１７、切り替え回路２０３、サウスブリッジ１１９、ハードディスクドライブ（ＨＤＤ）１２１、切り替えスイッチ１５Ａ、ＥＣ（エンベデッドコントローラＩＣ）１２４およびネットワークコントローラ１２５、ＢＩＯＳ（Basic Input Output System）−ＲＯＭ（制御部）１２０、電源制御部２０４等を備えている。
【００１３】
ＣＰＵ１１１は、本コンピュータ１０の動作を制御するために設けられたプロセッサであり、ハードディスクドライブ（ＨＤＤ）１２１から主メモリ１１３にロードされる、オペレーティングシステム（ＯＳ）および各種アプリケーションプログラムを実行する。
【００１４】
また、ＣＰＵ１１１は、ＢＩＯＳ−ＲＯＭ１２０に格納されたシステムＢＩＯＳも実行する。システムＢＩＯＳはハードウェア制御のためのプログラムである。
【００１５】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラ、ＧＰＵ２０１等が内蔵されている。また、ノースブリッジ１１２は、PCI Expressバスなどを介してＧＰＵ２００との通信を実行する機能も有している。スイッチ部２０２は、ＧＰＵ２００およびＧＰＵ２０１からＬＣＤ１７に出力される映像信号の切り替えを行う。すなわち、ＧＰＵ２００から出力された第１の映像信号をＬＣＤ１７に表示している状態で、ＬＣＤ１７に出力する映像信号をＧＰＵ２０１から出力される第２の映像信号に切り替える処理を行う。切り替え回路２０３は、ＧＰＵ２００またはＧＰＵ２０１によってＬＣＤ１７の電源のオン／オフを行うための回路である。
【００１６】
ＧＰＵ２００は、ＧＰＵ２０１よりも処理性能が高く消費電力も大きいグラフィクスコントローラである。ＡＣアダプタ等が接続されており、処理性能を重視する場合には、ＧＰＵ２００を用いる。また、バッテリ駆動や処理性能を求められない場合等には、ＧＰＵ２０１に切り替えて使用する。
【００１７】
ＧＰＵ２０１は、ノースブリッジ１１２に内蔵されており、ＧＰＵ２００よりも処理性能が低く消費電力も小さいグラフィクスコントローラである。バッテリ駆動や処理性能を求められない場合等には、ＧＰＵ２０１を使用する。
【００１８】
サウスブリッジ１１９は、ＬＰＣ（Low Pin Count）バス上の各デバイス、およびＰＣＩ（Peripheral Component Interconnect）バス上の各デバイスを制御する。また、サウスブリッジ１１９は、ＨＤＤ１２１等を制御するためのＩＤＥ（Integrated Drive Electronics）コントローラを内蔵している。さらに、サウスブリッジ１１９は、ＢＩＯＳ−ＲＯＭ１２０等をアクセス制御するための機能を有している。また、サウスブリッジ１１９は、ＧＰＩＯ（General Purpose Input/Output）１２３を有している。ＧＰＩＯ１２３は、汎用入出力ポートであり、各ポートは、入出力を制御する、ディレクションレジスタ（ＤＤＲ）と出力データを格納する、ポート出力レジスタ（ＤＯＲ）から構成されている。ＤＯＲをリードした場合、入力指定のポートは、その入力状態が読み出され、出力指定のポートは、その出力状態が読み出される。ＤＯＲは書き込み専用レジスタであり、ＤＯＲの設定値が、データ入力レジスタ（ＤＩＲ）によって出力ポート指定されたポートに反映される。このように、ＧＰＩＯ１２３のＤＩＲによって指定されたポートの出力がスイッチ部２０２の映像信号の出力に反映されることにより、上述した第１の映像信号および第２の映像信号の切り替えを行う。
【００１９】
ＨＤＤ１２１は、各種ソフトウェア及びデータを格納する記憶装置である。
【００２０】
ＥＣ１２４は、電力管理のためのエンベデッドコントローラ等が集積された１チップマイクロコンピュータである。このＥＣ１２４は、ユーザによるパワーボタン１４の操作に応じて本コンピュータ１０を電源オン／オフする機能を有している。
【００２１】
電源制御部２０４は、ＧＰＵ２００およびＧＰＵ２０１への電源供給を制御するパワーサプライコントローラＩＣである。このパワーサプライコントローラＩＣは、一般的にサウスブリッジ１１９にＬＰＣバスを介して接続されているＩＣである。現在使用しているグラフィックスコントローラがＧＰＵ２０１を使用している場合は、ＢＩＯＳ−ＲＯＭ１２０は、電源制御部２０４を介してＧＰＵ２００の電源回路をオフする。一方、現在使用しているグラフィックスコントローラがＧＰＵ２００を使用している場合は、ＧＰＵ２０１の映像信号の出力演算のための回路をオフする（ノースブリッジ１１２には電源が供給されている）。
【００２２】
ＢＩＯＳ−ＲＯＭ１２０は、ユーザによる切り替えスイッチ１５Ａの操作に応じて、使用するグラフィクスコントローラをＧＰＵ２００またはＧＰＵ２０１に切り替えを行う。また、ＢＩＯＳ−ＲＯＭ１２０は、上述した電源制御部２０４を介して、ＧＰＵ２００およびＧＰＵ２０１への電源供給を制御する。さらに、ＢＩＯＳ−ＲＯＭ１２０は、上述したＧＰＩＯ１２３を介してスイッチ部２０２の映像信号の出力をＧＰＵ２００からＧＰＵ２０１（または、ＧＰＵ２０１からＧＰＵ２００）に切り替える処理を行う。すなわち、ＢＩＯＳ−ＲＯＭ１２０は、ＧＰＩＯ１２３のＤＩＲをリードすることでスイッチ部２０２の出力状態を読み出し、スイッチ部２０２からの映像信号の出力の切り替えを行う。
【００２３】
このＢＩＯＳ−ＲＯＭ１２０は、図３に示すように、検出部１２０ａ、記憶部１２０ｂ、制御部１２０ｃを備えている。ユーザにより切り替えスイッチ１５Ａが押下されると、切り替え要求信号がＥＣ１２４に送られる。検出部１２０ａは、切り替え要求信号をＥＣ１２４を介して受け取ると、切り替え処理を開始する。記憶部１２０ｂは、現在の使用しているグラフィクスコントローラがＧＰＵ２００であるかＧＰＵ２０１であるか等の情報を記憶する。制御部１２０ｃは、例えばＧＰＵ２００からＧＰＵ２０１にＧＰＵを切り替える場合、ＧＰＵ２０１を起動させた後に、ＬＣＤ１７への電源の供給を停止させ、スイッチ部２０２にＬＣＤ１７に出力する映像信号を第２の画像信号に切り替える要求を送信し、スイッチ部２０２によって映像信号の出力を切り替えさせた後に、ＬＣＤ１７への電源の供給を再開させ、ＧＰＵ２００を停止させる処理を行う。また、制御部１２０ｃは、ＧＰＵの切り替え処理に伴い、電源制御部２０４を介してＧＰＵ２００およびＧＰＵ２０１への電源供給を制御する。すなわち、ＧＰＵ２００およびＧＰＵ２０１への電源供給のオン／オフを行う。なお、ＧＰＵ２０１への電源供給をオフする場合は、ノースブリッジ１１２への電源供給を停止することなく、ＧＰＵ２０１の映像信号の出力演算のための回路をオフするものとする。また、ＬＣＤ１７の電源をオフする場合は、画面イメージを表示しない表示オフ状態とするようにしてもよい。この表示オフ状態とは、ＬＣＤ１７の電源をオフする状態に加えて、例えばバックライトのみをオフする等の状態も含むものである。
【００２４】
次に、以上のように構成された本発明の実施形態に係る情報処理装置を適用した表示コントローラ切り換え方法について図４、図５のフローチャートおよび図６を参照して説明する。なお、図６は、ＧＰＵ２００、ＧＰＵ２０１およびスイッチ部２０２からの出力信号の各クロック周波数の模式的な波形を示した図であり、ＬＣＤ１７の電源がオフされている時間（ｔ１−ｔ２）を波形に重ねて示している（ＧＰＵ２００およびＧＰＵ２０１は互いに異なるクロック周波数を出力している）。
【００２５】
図４は、ＧＰＵ２００からＧＰＵ２００への切り替えを行う処理を示すフローチャートである。まず、現在の状態では、使用しているグラフィクスコントローラがＧＰＵ２００であるので、ＧＰＵ２０１の映像信号の出力演算のための回路はオフされている。さらに、ＧＰＵ２００からの映像信号の出力（スイッチ部２０２からの出力）は、図６に示すように、スイッチ部２０２を介してＬＣＤ１７にクロック周波数αで出力されている。
【００２６】
ＢＩＯＳ−ＲＯＭ１２０は、切り替えスイッチ１５Ａの押下による切り替え要求信号をＥＣ１２４を介して受け取ると（ステップＳ１０１のＹＥＳ：図６の時間ｔ０）、ＢＩＯＳ−ＲＯＭ１２０は、電源制御部２０４を介してＧＰＵ２０１の映像信号の出力演算のための回路への電源供給を開始する（ステップＳ１０２）。そしてＧＰＵ２０１は、映像信号をクロック周波数βでスイッチ部２０２に出力を開始する。
【００２７】
続いて、ＢＩＯＳ−ＲＯＭ１２０は、現在使用しているグラフィクスコントローラであるＧＰＵ２００に対し、電源制御部２０４からＬＣＤ１７へ供給されている電源を切り替え回路２０３を介してオフするように制御する（ステップＳ１０３：図６の時間ｔ１）。ＢＩＯＳ−ＲＯＭ１２０は、ＧＰＩＯを介してスイッチ部２０２の映像信号の出力をＧＰＵ２００からＧＰＵ２０１に切り替える（ステップＳ１０４）。また、ＧＰＵ２００からの映像信号の出力も停止する（図６のＧＰＵ２００のクロック周波数αの出力を停止）。次に、ＢＩＯＳ−ＲＯＭ１２０は、ＧＰＵ２０１に対し、切り替え回路２０３を介してＬＣＤ１７の電源をオンするように制御する（図６の時間ｔ２）。並行して、ＢＩＯＳ−ＲＯＭ１２０は、電源制御部２０４を介してＧＰＵ２００の回路全体の電源供給を停止し、ＧＰＵ２００の動作を停止させる（ステップＳ１０５）。この状態で、スイッチ部２０２からＬＣＤ１７に出力される映像信号のクロック周波数はβに切り替わっている。なお、時間ｔ１からｔ２の間は、ＬＣＤ１７の電源がオフされている時間であるので、ＬＣＤ１７には表示が行われることがなく、ＧＰＵの切り替えによる画像の乱れ等が表示されることがない。
【００２８】
以上で、ＧＰＵ２００からＧＰＵ２０１への切り替えを行う処理を終了する。
【００２９】
次に図５は、ＧＰＵ２０１からＧＰＵ２００への切り替えを行う処理を示すフローチャートである。まず、現在の状態では、使用しているグラフィクスコントローラがＧＰＵ２０１であるので、ＧＰＵ２００の電源回路はオフされている。さらに、ＧＰＵ２０１からの映像信号の出力（スイッチ部２０２からの出力）は、スイッチ部２０２を介してＬＣＤ１７に出力されている。
【００３０】
ＢＩＯＳ−ＲＯＭ１２０は、切り替えスイッチ１５Ａの押下による切り替え要求信号をＥＣ１２４を介して受け取ると（ステップＳ２０１のＹＥＳ）、ＢＩＯＳ−ＲＯＭ１２０は、電源制御部２０４を介してＧＰＵ２００の電源回路への電源供給を開始する（ステップＳ２０２）。ここで、ＢＩＯＳ−ＲＯＭ１２０は、完全にＧＰＵ２００の電源回路への電源供給が開始されたかを確認する。電源供給が開始されていない場合は、電源供給が開始されるまで電源制御部２０４を介してＧＰＵ２００の電源回路への電源供給を行う。
【００３１】
続いて、現在、使用しているグラフィクスコントローラであるＧＰＵ２０１は、切り替え回路２０３を介してＬＣＤ１７の電源をオフする（ステップＳ２０３）。ＢＩＯＳ−ＲＯＭ１２０は、ＧＰＩＯを介してスイッチ部２０２の映像信号の出力をＧＰＵ２０１からＧＰＵ２００に切り替える（ステップＳ２０４）。同時に、ＧＰＵ２０１からの映像信号の出力も停止する。次に、ＢＩＯＳ−ＲＯＭ１２０は、ＧＰＵ２００に対し、切り替え回路２０３を介してＬＣＤ１７の電源をオンするように制御する。並行して、ＢＩＯＳ−ＲＯＭ１２０は、電源制御部２０４を介してＧＰＵ２０１の映像信号の出力演算のための回路の電源供給を停止し、ＧＰＵ２０１の動作を停止させる（ステップＳ１０５）。なお、ノースブリッジ１１２自体への電源供給は行われている。
【００３２】
以上で、ＧＰＵ２０１からＧＰＵ２００への切り替えを行う処理を終了する。
【００３３】
上述したように、ＧＰＵの切り替え処理においては、ＧＰＵごとの動作クロック数が異なるため、ＧＰＵの映像出力の切り替えを行う場合に同期信号のずれが発生する。これにより、切り替え時に映像出力されたディスプレイに画像の乱れやノイズ等が発生するが、この切り替えの期間にＬＣＤ１７の電源をオフすることにより、画像の乱れやノイズ等をＬＣＤ１７に表示しないようにしている。
【００３４】
上述したＧＰＵの切り替えの期間は、例えば、図６に示すように、ｔ１からｔ２の期間である。ｔ１は切り替え開始時間を示し、ｔ２は切り替え完了時間を示している。ｔ１で切り替え処理を開始し、ＧＰＵ２００のクロック周波数αに基づいて映像出力を行っている状態からＧＰＵ２０１のクロック周波数βに基づいて映像出力を行う状態に切り替える処理を行う。このＧＰＵの切り替え時にＬＣＤ１７にノイズ等が発生するが、切り替えの期間（ｔ１〜ｔ２）にＬＣＤ１７の電源をオフすることにより、画像の乱れやノイズ等をＬＣＤ１７に表示されないようにしている。そしてｔ２で切り替え処理を完了し、ノイズ等の発生が収まった状態で、ＬＣＤ１７の電源をオンすることにより切り替え後のＧＰＵ２０１のクロック周波数βに基づいて映像出力を行うことができる。
【００３５】
上述したように、本実施形態によれば、複数のＧＰＵの映像出力の表示切り替えを行った場合でも、ＧＰＵの切り替え時に表示装置の電源をオフすることにより、画像の乱れまたはノイズ等が表示装置に表示されることなくスムーズに切り替えることができる。また、ノイズ等を表示装置に表示させないようにすることにより、ＧＰＵの切り替え時における表示装置への負荷を軽減させ、信頼性の向上を図ることができる。
【００３６】
また、上述した本実施形態では、ＥＣ１２４は、ユーザによる切り替えスイッチ１５Ａの操作に応じて、使用するグラフィクスコントローラの切り替えを行っているが、グラフィクスコントローラの切り替えのトリガーはこれに限定されるものではない。例えば、コンピュータ１０が備えるバッテリの残り容量が変化した場合や、ＡＣアダプタが接続された場合、ＧＰＵの処理性能の要求が変化した場合等の状態を検知して、自動的に使用するグラフィクスコントローラを切り替えるようにしてもよい。すなわち、バッテリの残り容量が変化した場合は、ＧＰＵ２００を使用している場合は、消費電力の少ないＧＰＵ２０１に切り替える。さらに、ＡＣアダプタが接続された場合は、ＧＰＵ２０１を使用している場合は、処理能力の高いＧＰＵ２００に切り替える。また、処理性能の要求が変化した場合は、動画像の再生要求が発生した場合等には、ＧＰＵ２０１を使用している場合は、処理能力の高いＧＰＵ２００に切り替える等の形態としてもよい。
【００３７】
なお、本発明は、上述した実施形態そのままに限定されるものではない。本発明は、実施段階では、その要旨を逸脱しない範囲で構成要素を変更して具現化できる。
【００３８】
また、上述した実施形態に開示されている複数の構成要素を適宜に組み合わせることで、種々の発明を形成できる。例えば、実施形態に示される全構成要素から幾つかの構成要素を削除してもよい。更に、異なる実施形態にわたる構成要素を適宜組み合わせてもよい。
【図面の簡単な説明】
【００３９】
【図１】本発明の一実施形態に係る情報処理装置を示す図。
【図２】同実施形態に係る情報処理装置の主要な構成を示すブロック図。
【図３】同実施形態に係る情報処理装置のＢＩＯＳの機能構成を示すブロック図。
【図４】同実施形態に係る情報処理装置を適用した表示コントローラ切り換え方法を示すフローチャート。
【図５】同実施形態に係る情報処理装置を適用した表示コントローラ切り換え方法を示すフローチャート。
【図６】同実施形態に係る情報処理装置を適用した表示コントローラ切り換え方法を示すＧＰＵの切り替える処理のタイミングを模式的に示した図。
【００４０】
１０…コンピュータ、１４…電源ボタン、１５Ａ…切り替えスイッチ、１７…ＬＣＤ、１１１…ＣＰＵ、１１３…主メモリ、１２０…ＢＩＯＳ−ＲＯＭ、１２０ａ…検出部、１２０ｂ…記憶部、１２０ｃ…制御部、１２１…ＨＤＤ、１２４…ＥＣ、２００、２０１…ＧＰＵ、２０２…スイッチ部、２０３…切り替え回路、２０４…電源制御部
【図１】
2009288430.tif 000003
【図２】
2009288430.tif 000004
【図３】
2009288430.tif 000005
【図４】
2009288430.tif 000006
【図５】
2009288430.tif 000007
【図６】
2009288430.tif 000008